(57)【要約】【課題】届けられた内容物も楽しみプラスその包装容器も楽しみにされるような駒板合わせパズル付き包装容器および病人のもてあます時間をつぶしたり、有意義なものにするとともに見舞い者に対する親しみや感謝の心を培うゲーム付き熨斗袋を提供するにある。【解決手段】ゲーム付き熨斗袋１は、この熨斗袋本体２と、該２の内側面に印刷され設けられた詰め将棋絵柄３と、この詰め将棋絵柄３の回答４とからなっている。包装容器本体２１の天井部表面２２に多数個ランダムな向きに散りばめられように印刷された１番絵柄〜１６番絵柄からなる絵柄群２３と、包装容器本体２１の側壁部２５ａ〜２５ｄに二つずつ印刷された、沿え並べ方により少なくとも１番絵柄〜１６番絵柄を形成できる、１番駒板〜７番駒板からなり且つそれらを四角枠にまとめた駒板パズル体２４とからなっている。【選択図】  図１
2004250100.tif 000002
【特許請求の範囲】
【請求項１】
包装容器本体と、
この包装容器本体の表面や裏面に多数個散りばめられたり配列されるなどの形態で貼り付けられたり印刷されたりしてなる多様な絵柄からなる絵柄群と、
前記包装容器本体の適宜な部位に印刷されあるいは添付されてなる、沿え並べることにより前記多様な絵柄を形成することができる複数の駒板で構成された駒板パズル体とからなることを特徴とする駒板合わせパズル付き包装容器。
【請求項２】
駒板パズル体が駒板が一つの枠にまとめられてなり且つ該枠の一外縁部位が包装容器本体の直線外縁と同一縁を形成するように該包装容器本体に印刷されてなることを特徴とする請求項１記載の駒板合わせパズル付き包装容器。
【請求項３】
駒板パズル体が一つの枠にまとめられ且つそれぞれの駒板が手で切り抜けるようにマイクロカットと呼ばれる微細ミシン線などの切り抜き線により形成されてなることを特徴とする請求項１、２いずれか記載の駒板合わせパズル付き包装容器。
【請求項４】
駒板パズル体が包装容器本体に複数設けられてなることを特徴とする請求項１、２、３いずれか記載の駒板合わせパズル付き包装容器。
【請求項５】
枠線のみからなる絵柄が印刷されてなることを特徴とする請求項１、２、３、４いずれか記載の包装容器。
【請求項６】
板材やシート材などの平部材本体と、
この平部材本体の表面や裏面に多数個散りばめられたり配列されるなどの形態で貼り付けられたり印刷されたりしてなる多様な絵柄からなる絵柄群と、
前記平部材本体の適宜な部位に印刷されあるいは添付されてなる、沿え並べることにより前記多様な絵柄を形成することができる複数の駒板で構成された駒板パズル体とからなることを特徴とする駒板合わせパズル付き平部材。
【発明の詳細な説明】
【０００１】
【発明の属する技術分野】
本発明は絵柄ら形成パズルが楽しめる菓子箱や袋や熨斗袋などの包装容器や、病気見舞いに使用して病人が楽しむことが出来るゲームが付いたゲーム付き熨斗袋に関する。
【０００２】
【従来技術】
従来、菓子箱などの包装容器は絵柄などが施されており、病気見は見舞い金を入れて病人を見舞い渡す熨斗袋が知られている。
【０００３】
【発明が解決しようとする課題】
前述した従来技術のものは、菓子箱などの包装容器の絵柄は、箱や製品を良く見せるだけのものであったり、宣伝広告的な機能を持たせるものであったし、見舞い熨斗袋は病気見舞い金を入れて病人を見舞い渡すだけのものであるため、中身を出した後は殆ど捨てられるものであるため、何ら生活を楽しくしたり豊かにするという機能に乏しいという欠点があった。
どのような内容の包装容器かと、受取人が包装容器そのものを楽しみにしているということはないものであった。
従来の熨斗袋は単に見舞金を納めるだけのもので、他の利用方法、特に病人のもてあます時間をつぶしたり、有意義なものにする機能が無いという欠点をもつものであった。
また、見舞い者に対する親しみや感謝の心をより強めることができないという欠点があった。
【０００４】
本発明は以上のような従来の問題に鑑みてなされたものであって、その目的は、包装容器が捨てられずに受取人の生活を楽しくしたり豊かにするのに使用される、購入したいり届けられた内容物も楽しみプラスその包装容器も楽しみにされるような駒板合わせパズル付き包装容器をおよび駒板合わせパズル付平板部材を提供することを目的としている。
【０００５】
【課題を解決するための手段】
上記目的を達成するために、本発明は包装容器本体と、この包装容器本体の表面や裏面に多数個散りばめられたり配列されるなどの形態で印刷された多様な絵柄と、前記包装容器本体の適宜な部位に印刷されあるいは添付されてなる、沿え並べることにより前記多様な絵柄を形成することができる複数の駒板で構成された駒板パズル体とで駒板合わせパズル付き包装容器を構成している。
包装容器には箱体、薬袋などの袋体などを含むものである。
【０００６】
板材やシート材などの平部材本体と、この平部材本体の表面や裏面に多数個散りばめられたり配列されるなどの形態で貼り付けられたり印刷されたりしてなる多様な絵柄からなる絵柄群と、前記平部材本体の適宜な部位に印刷されあるいは添付されてなる、沿え並べることにより前記多様な絵柄を形成することができる複数の駒板で構成された駒板パズル体とで駒板合わせパズル付き平部材を構成している。
【０００７】
【発明の実施の形態】
本発明の実施の形態を図面を参照しながら詳細に説明する。
【０００８】
＜実施の形態１＞  図１に示す本発明の第１の実施の形態において、主に病気見舞に使用するゲーム付き熨斗袋１は、この熨斗袋本体２と、該２の内側面に印刷され設けられた詰め将棋絵柄３と、この詰め将棋絵柄３の回答４とからなっている。
【０００９】
＜実施の形態２＞  図２に示す本発明の第２の実施の形態において、ゲーム付き熨斗袋７は、熨斗袋本体２と、該２に収納されたゲーム用紙８と、このゲーム用紙８の裏面に印刷された詰め碁絵柄９と、該９の裏面に印刷された回答（図示せず）とからなっている。
【００１０】
＜実施の形態３＞  図３に示す本発明の第３の実施の形態において、ゲーム付き熨斗袋１２は、熨斗袋本体２と、この熨斗袋本体２に収納された、駒板１３ａ〜１３ｇからなり且つ各駒板を折切り離すことができるようにしてなる折り切り離し線１４を有する駒板合せパズル１５と、熨斗袋本体２の内側に印刷された駒板１３ａ〜１３ｇをすべて並べ合わせて形成した絵柄群１６と、駒板１３ａ〜１３ｇを合わせ並べて作成した絵柄を記入する裏面に設けられた記入欄１７、駒板合わせパズル推進団体のあて先（図示せず）を表面に印刷してなる葉書１８とからなっている。
駒板合せパズルは幾種類もある。
【００１１】
＜実施の形態４＞  図４に示す本発明の第４の実施の形態において駒板合わせパズル付き包装容器２０は、包装容器本体２１（蓋のみ図示。）と、この包装容器本体２１の天井部表面２２に多数個ランダムな向きに散りばめられように印刷された１番絵柄〜１６番絵柄からなる絵柄群２３と、包装容器本体２１の側壁部２５ａ〜２５ｄに二つずつ印刷された、沿え並べ方により少なくとも１番絵柄〜１６番絵柄を形成できる、１番駒板〜７番駒板からなり且つそれらを四角枠にまとめた駒板パズル体２４とからなっている。
駒板パズル体２４および１番駒板〜７番駒板は鋏で切り抜いて使用する。
１番駒板〜７番駒板と１番絵柄〜１６番絵柄の番号は図５および図６を参照。
以上の形態に止まらず、駒板パズル体２４を板状態で包装容器内に添付したり張り付け添付する、透明袋にバラバラ状態の１番駒板〜７番駒板を収納したものを添付するなど多様な形態があることはいうまでもない。
以下の説明において本発明の第４の実施の形態の構成と同じ構成には同じ符号を付しその説明を省略する。
【００１２】
＜実施の形態５＞  図５および図６に示す本発明の第５の実施の形態において駒板合わせパズル付き包装容器２７は、包装容器本体２１の天井部表面２２に番号表にふられた番号に対応して、１番絵柄〜１６番絵柄の塗りつぶし絵柄群２８と枠線絵柄群２９が印刷され、包装容器本体２１の側壁部２５ａ〜２５ｄに駒板パズル体２４が二つずつ印刷されてなっている。
図６に示すように、塗りつぶされた絵柄が第１番駒板〜第７番こま板を並べ形成できたら、枠線のみからなる絵柄にそれぞれの駒板の枠線を引き、駒板の番号を記入してクリアーした証拠を残しながら楽しむことができるし、更なる挑戦意欲を掻き立て、さらなる絵柄が包装容器に付いてこないかと、新たな包装容器が楽しみとなるものである。
【００１３】
＜実施の形態６＞  図７に示す本発明の第６の実施の形態において駒板合わせパズル付き包装容器３１は、包装容器本体２１と、この包装容器本体２１の天井部表面２２に大きい駒板パズル体２４が二つ、小さい駒板パズル体２４が二つ印刷され、塗りつぶし絵柄群２８と枠線絵柄群２９が側壁部２５ｂ〜２５ｄに印刷され、側壁部２５ａにバラバラにされ且つ手で容易に切り抜けるようにミシン線により形成された１番絵柄〜１６番絵柄からなる絵柄群３２とからなっている。
【００１４】
＜実施の形態７＞  図８および図９に示す本発明の第７の実施形態において封筒からなる駒板合わせパズル付き包装容器３４は、包装容器本体３７の表面に絵柄３５ａ、３５ｂ、３５ｃが印刷され、裏面には絵柄３５ａ、３５ｂ、３５ｃの解答絵柄３６ａ、３６ｂ、３６ｃが印刷され、封筒内には駒板合せパズル１５が収納されている。
【００１５】
＜実施の形態８＞  図１０に示す本発明の第８の実施の形態において熨斗袋からなる駒板合わせパズル付き包装容器３８は、包装容器本体４１の内側面に絵柄３９ａ〜３９ｈと解答絵柄４０ａ、４０ｂが印刷され、封筒内には駒板合せパズル１５が収納されている。
【００１６】
＜実施の形態９＞  図１１に示す本発明の第９の実施の形態において箸袋からなる駒板合わせパズル付き包装容器４２は、包装容器本体４６の内側面に絵柄４３ａ、４３ｂとこれらとは他の解答絵柄４４が印刷され、封筒内には箸袋に収納できる長板形態の駒板合せパズル４５が収納されている。
【００１７】
＜実施の形態１０＞  図１２に示す本発明の第１０の実施の形態において文具の下敷である平部材４６は、平部材本体４７と、該４７の表面に添付された駒板合せパズル１５の駒と同じ大きさの駒で形成され且つ絵柄を形成している一つ一つの駒形態が分かるようにされた絵柄４８ａ〜４８ｈと、駒板合せパズル１５とからなっている。
駒を合わせ載せて楽しむことができ、幼児など年少者の遊びとして適している。また、お年よりのボケ防止遊具としても適している。
裏面形成駒板の形態が分からない様に、塗りつぶしたり枠線のみの絵柄を設けても良い。
絵柄の形成駒を分かるようにする形態は、線によるもの、二色の色分けによる組合せ、多様な色による色分けによるものなどの形態がある。
平部材は下敷のほかに、名刺、内輪などがあり、いずれも人からもらった場合にも、それの本来の機能以外に楽しむことができるものとなる。
絵柄は並べ方により評定のある模様を形成できる。
（付記）
また、病人のもてあます時間をつぶしたり、有意義なものにするとともに見舞い者に対する親しみや感謝の心を培うゲーム付き熨斗袋を提供するにある。
（１）主に病気見舞に使用する熨斗袋であって、熨斗袋本体と、この熨斗袋本体内側に設けられた詰め将棋、詰め碁、複数の駒板を合わせ並べて多様な絵柄などを形成して遊ぶ駒板合せパズルなどのゲームとからなることを特徴とするゲーム付き熨斗袋。
（２）主に病気見舞に使用する熨斗袋であって、熨斗袋本体と、この熨斗袋本体内に収納されたゲーム用紙と、このゲーム用紙に印刷された詰め将棋、詰め碁、複数の駒板を合わせ並べて多様な絵柄などを形成して遊ぶ駒板合せパズルなどのゲームとからなることを特徴とするゲーム付き熨斗袋。
（３）主に病気見舞に使用する熨斗袋であって、熨斗袋本体と、この熨斗袋本体内に収納された複数の駒板を合わせ並べて多様な絵柄などを形成して遊ぶ駒板合せパズルと、この駒板組合せパズルを組み合わせて形成した絵柄などの輪郭のみを表記した絵柄群とからなることを特徴とするゲーム付き熨斗袋。
（４）主に病気見舞に使用する熨斗袋であって、熨斗袋本体と、この熨斗袋本体内に収納された複数の駒板を合わせ並べて多様な絵柄などを形成して遊ぶ駒板合せパズルと、この駒板組合せパズルを組み合わせて形成した絵柄などを記入する絵柄記入欄と、この絵柄記入欄と同じ用紙に記入された駒板合わせパズル推進団体のあて先と、このパズル推進団体あて先と前記絵柄記入欄が印刷され且つ葉書や封筒などの郵送物とかなることを特徴とするゲーム付き熨斗袋。
病人はもらった熨斗袋で、詰め将棋などのゲームを楽しめるとともに、大部屋の場合は入院患者同士で楽しむこともできるので、入院生活を楽しいものにできるという効果を奏する。
また、退院してからも個人的にも、家族とも楽しめるという効果を奏する。
こうしたことを通じて、熨斗袋に記入された見舞い者名に触れ見舞い者に対する親しみや感謝の心を培うという効果を奏する。
また、主に病気見舞に使用する熨斗袋であって、熨斗袋本体と、この熨斗袋本体内に収納された複数の駒板を合わせ並べて多様な絵柄などを形成して遊ぶ駒板合せパズルと、この駒板組合せパズルを組み合わせて形成した絵柄などを記入する絵柄記入欄と、この絵柄記入欄と同じ用紙に記入された駒板合わせパズル推進団体のあて先と、このパズル推進団体あて先と前記絵柄記入欄が印刷され且つ葉書や封筒などの郵送物とかなるものは、自らが考案した絵柄などを駒板合わせパズル推進団体に郵送することにより、審査の結果それが新しい絵柄などである場合は、例えば氏名を付した絵柄・絵柄などにして登録され、インターネットや書籍やニューズなどで紹介されるなどがされるようにできるので、挑戦的な機能にやる気・創作意欲をより強いものにできるという効果を奏する。
【００１４】
【発明の効果】
以上の説明から明らかなように、本発明は次の述べるような効果を奏する。
【００１５】
請求項１記載の発明は、送られてきたり、購入したものの包装容器に駒板合わせパズルとそれにより形成できる多様な絵柄群が印刷されたり添付されたりしているので、受け取った者は包装容器を捨てることなく、子供に駒板合わせパズルを行わせたり、自らも楽しむことができるという効果を奏する。
【００１６】
請求項２記載の発明は前記１記載の発明と同様な効果を奏するとともに、一つ枠にまとめられた駒板パズル体が包装容器本体の外縁にその縁を合わせるように印刷されているので、鋏で切り抜く場合に大変切り抜き易いという効果を奏する。
【００１７】
請求項３記載の発明は前記請求項１あるいは２記載の発明と同様な効果を奏するとともに、鋏などを用いず用意に手で駒板を抜き取り形成することができるので、どこでも気軽に楽しめることができるという効果を奏する。
【００１８】
請求項４記載の発明は前記請求項１、２あるいは３記載の発明と同様な効果を奏するとともに、駒板パズル体が複数設けられているので、例えば４人家族全員分あって、みんなで同時に競いながら楽しめるなどの効果を奏する。
【００１９】
請求項５記載の発明は前記請求項１、２、３あるいは４記載の発明と同様な効果を奏するとともに、絵柄を駒板を並べ形成できたら、枠線のみからなる絵柄にそれぞれの駒板の枠線を引き、駒板に番号や記号が表記されている場合はその番号等を記入することができ、やり遂げて行く楽しさ、競い合う楽しさ、他の包装容器に施された新たな絵柄を次々に解いてゆく征服感などを味わうことができるという効果を奏する。
【００２０】
請求項６記載の発明は前記請求項１、２、３あるいは４記載の発明と同様な効果を奏する。
【図面の簡単な説明】
【図１】本発明の第１の実施の形態の裏面図。
【図２】本発明の第２の実施の形態の構成図。
【図３】本発明の第３の実施の形態の構成図。
【図４】本発明の第４の実施の形態の包装容器本体を構成する蓋の展開図。
【図５】本発明の第５の実施の形態の包装容器本体を構成する蓋の展開図。
【図６】本発明の第５の実施の形態の絵柄形成例。
【図７】本発明の第６の実施の形態の包装容器本体を構成する蓋の展開図。
【図８】本発明の第７の実施の形態の表面図。
【図９】図８の裏面図。
【図１０】本発明の第８の実施の形態の展開図。
【図１１】本発明の第９の実施の形態の展開図。
【図１２】本発明のだい１０の実施の形態の表面図。
【符号の説明】
１：ゲーム付き熨斗袋
２：熨斗袋本体
３：詰め将棋絵柄
４：回答
７：ゲーム付き熨斗袋
８：ゲーム用紙
９：詰め碁絵柄
１２：ゲーム付き熨斗袋
１３ａ〜１３ｇ：駒板
１４：切り離し線
１５：駒板合せパズル
１６：絵柄群
１７：記入欄
１８：葉書
２０：駒板合わせパズル付き包装容器
２１：包装容器本体
２２：天井部表面
２３：絵柄群
２４：駒板パズル体
２５ａ〜２５ｄ：側壁部
２７：駒板合わせパズル付き包装容器
２８：塗りつぶし絵柄群
２９：枠線絵柄群
３１：駒板合わせパズル付き包装容器
３２：絵柄群
３４：駒板合わせパズル付き包装容器
３５ａ、３５ｂ、３５ｃ：絵柄
３６ａ、３６ｂ、３６ｃ：解答絵柄
３７：包装容器本体
３８：駒板合わせパズル付き包装容器
３９ａ〜３９ｈ：絵柄
４０：解答絵柄
４１：包装容器本体
４２：駒板合わせパズル付き包装容器
４３ａ、４３ｂ：絵柄
４４：解答絵柄
４５：駒板合せパズル
４６：平部材
４７：平部材本
４８ａ〜４８ｈ：絵柄
【図１】
2004250100.tif 000003
【図２】
2004250100.tif 000004
【図３】
2004250100.tif 000005
【図４】
2004250100.tif 000006
【図５】
2004250100.tif 000007
【図６】
2004250100.tif 000008
【図７】
2004250100.tif 000009
【図８】
2004250100.tif 000010
【図９】
2004250100.tif 000011
【図１０】
2004250100.tif 000012
【図１１】
2004250100.tif 000013
【図１２】
2004250100.tif 000014